(57)【特許請求の範囲】
【請求項１】
入力されたＲＧＢデータをＣ’Ｍ’Ｙ’データへ色変換する色変換回路と、
前記色変換回路により変換されたＣ’Ｍ’Ｙ’データの色空間における位置を各１ドット毎に認識するＣＭＹ値認識回路と、
前記Ｃ’Ｍ’Ｙ’データの色空間の位置に対応してそれぞれ最適化された複数のＵＣＲ／ＢＧテーブルと、
前記複数のＵＣＲ／ＢＧテーブルを使い分けることにより境目で発生する不連続性を補正するよう前記Ｃ’Ｍ’Ｙ’データの最大値と最小値の差に対して滑らかに値の変化する係数を生成するテーブルである連続化テーブルと、
前記ＣＭＹ値認識回路によるＣ’Ｍ’Ｙ’値の認識に基づいて前記複数のＵＣＲ／ＢＧテーブルの中から自動的に最適なテーブルを選択し、その際に境目で不連続が発生することの無いよう前記連続化テーブルから生成された前記係数で決定される比率で前記複数のＵＣＲ／ＢＧテーブルを足し合わせて前記複数のＵＣＲ／ＢＧテーブルを合成するＵＣＲ／ＢＧ合成回路とを有し、
前記ＵＣＲ／ＢＧ合成回路により合成されたＵＣＲ／ＢＧテーブルを使用して、前記Ｃ’Ｍ’Ｙ’をＣＭＹＫへと変換することを特徴とするカラー画像記録装置。
【請求項２】
入力されたＲＧＢデータをＣ’Ｍ’Ｙ’データへ色変換する色変換工程と、
前記色変換工程により変換されたＣ’Ｍ’Ｙ’データの色空間における位置を各１ドット毎に認識するＣＭＹ値認識工程と、
前記Ｃ’Ｍ’Ｙ’データの色空間の位置に対応してそれぞれを最適化するための複数のＵＣＲ／ＢＧテーブルを作成するＵＣＲ／ＢＧテーブル作成工程と、
前記複数のＵＣＲ／ＢＧテーブルを使い分けることにより境目で発生する不連続性を補正するよう前記Ｃ’Ｍ’Ｙ’データの最大値と最小値の差に対して滑らかに値の変化する係数を生成する連続化テーブルを作成する連続化テーブル作成工程と、
前記ＣＭＹ値認識工程によるＣ’Ｍ’Ｙ’値の認識に基づいて前記複数のＵＣＲ／ＢＧテーブルの中から自動的に最適なテーブルを選択し、その際に境目で不連続が発生することの無いよう前記連続化テーブルから生成された前記係数で決定される比率で前記複数のＵＣＲ／ＢＧテーブルを足し合わせて前記複数のＵＣＲ／ＢＧテーブルを合成するＵＣＲ／ＢＧ合成工程とを有し、
前記ＵＣＲ／ＢＧ合成工程により合成されたＵＣＲ／ＢＧテーブルを使用して、前記Ｃ’Ｍ’Ｙ’をＣＭＹＫへと変換することを特徴とするカラー画像記録方法。
【発明の詳細な説明】
【０００１】
【発明の属する技術分野】
本発明は、高品質な印刷結果を実現するカラー画像記録装置およびカラー画像記録方法に関する。
【０００２】
【従来の技術】
従来、カラー画像記録装置およびカラー画像記録方法は一般に、ＵＣＲ（Ｕｎｄｅｒ  Ｃｏｌｏｒ  Ｒｅｍｏｖａｌ／下色除去）／ＢＧ（Ｂｌａｃｋ  Ｇｅｎｅｒａｔｉｏｎ／墨版合成）を切り替えて使用している。
【０００３】
例えば、従来例１の特開平２−９２７３号公報の「画像処理方法」では、入力値であるＲＧＢデータを主操作方向へ１ライン分スキャンし、１ライン分の値を積分することにより１ライン毎にＲＧＢ値の特性を求め、その特性から判断してＵＣＲ／ＢＧを切り替えて使用している。
【０００４】
また、従来例２の特開昭６３−１００８９５号公報の「プリント装置」では、無彩色領域における色空間の変換の際には、ＵＣＲ／ＢＧの値をガンマテーブルによって補正する方法が開示されている。
【０００５】
【発明が解決しようとする課題】
しかしながら、一般に入力機器は、モニタ、スキャナ、デジタルカメラ等、ＲＧＢカラー空間を使用して色を管理しているものが多い。これに対して、出力機器は、プリンタ等ＣＭＹＫカラー空間を使用して色を管理しているものが多い。このため、カラー空間を変換する必要が生じる。一般的に、ＲＧＢデータからＣＭＹデータへの変換は、補色変換、色変換テーブルを使用した変換等により行われる。ＣＭＹデータからＣＭＹＫデータへ変換する際には、ＵＣＲ／ＢＧを使用することになる。しかし、一般的にこのＵＣＲ／ＢＧは、変換されるＲＧＢ値の色空間における位置には関係なく、１つの値やテーブルとして定められている。
【０００６】
ところが実際には、ＵＣＲ／ＢＧの値は、変換するＲＧＢの値が色空間上のどこへ位置しているかにより、最適な値は異なることが多い。具体的には、変換するＲＧＢの値が無彩色に近い場合には、ＣＭＹの大部分を「Ｋ」にて置き換える（ＵＣＲ／ＢＧが１００％に近い）ことが望ましい。逆に、変換するＲＧＢの値の彩度が高い場合には、「Ｋ」への置き換えを少なくする（ＵＣＲ／ＢＧをあまり行わない）ことが望ましい。
【０００７】
従って、無彩色に近い領域を最適化したＵＣＲ／ＢＧを採用した場合には、無彩色に近い領域ではＫ版を多用することにより、純粋にグレーに近い結果が得られる。しかしこの反面、彩度の高い領域では、Ｋ版の多用により彩度が下がる結果となる。逆に、彩度が高い領域を最適化したＵＣＲ／ＢＧを採用した場合には、彩度が高い領域ではＫ版への置き換えが制限されている。このため高い彩度が確保できる反面、無彩色に近い領域では、Ｋ版への置き換えが制限される。よって、グレーをＣＭＹにて表現する必要が生じ、純粋なグレーの印刷が得られない結果となる。
【０００８】
上記従来例１の特開平２−９２７３号公報は、複数のＵＣＲ／ＢＧを用意し、ＲＧＢの特性に応じて使い分けることに関しては、本発明と同様である。しかし、ＲＧＢの特性を認識する手段は、スキャナの主操作方向１ラインをスキャンし、その値を積分することにより、ライン毎にＲＧＢの特性を認識している。この場合、１ラインの中で、無彩色と彩度の高い色が混在するようにＲＧＢの特性の変化があっても、積分処理されてしまう。このため、結果的に正確な特性を判断することが出来ない。また、複数のＵＣＲ／ＢＧを使い分けた場合、境目で不連続が発生するが、その補正について言及されていない。
【０００９】
従来例２の特開昭６３−１００８９５号公報は、無彩色の変換を行う際に、ＵＣＲ／ＢＧをガンマ補正することにより、純粋なグレーに近い印刷結果を得るとしている。しかし、無彩色を表現する際にＫ版を多用するわけではないので、純粋なグレー色を実現することは実質的に出来ない。
【００１０】
本発明は、複数のＵＣＲ／ＢＧを使い分けることにより発生する不連続性を防ぎ、境目においても高品質な印刷結果を実現する、カラー画像記録装置およびカラー画像記録方法を提供することを目的とする。
【００１１】
より詳細には、本発明は、入力機器のカラー空間であるＲＧＢデータの値から、出力機器のカラー空間であるＣＭＹＫデータへの変換の際に必要となる、ＵＣＲ／ＢＧを複数有し、変換するＲＧＢ値毎に最適なＵＣＲ／ＢＧを使用して色変換を行う。このことにより、全ての色空間においても最適な変換を行い、高品質な印刷結果を実現するカラー画像記録装置およびカラー画像記録方法を提供することを目的とする。
【００１２】
【課題を解決するための手段】
上記の目的を達成するため、請求項１記載の発明のカラー画像記録装置は、入力されたＲＧＢデータをＣ’Ｍ’Ｙ’データへ色変換する色変換回路と、色変換回路により変換されたＣ’Ｍ’Ｙ’データの色空間における位置を各１ドット毎に認識するＣＭＹ値認識回路と、Ｃ’Ｍ’Ｙ’データの色空間の位置に対応してそれぞれ最適化された複数のＵＣＲ／ＢＧテーブルと、複数のＵＣＲ／ＢＧテーブルを使い分けることにより境目で発生する不連続性を補正するよう前記Ｃ’Ｍ’Ｙ’データの最大値と最小値の差に対して滑らかに値の変化する係数を生成するテーブルである連続化テーブルと、ＣＭＹ値認識回路によるＣ’Ｍ’Ｙ’値の認識に基づいて複数のＵＣＲ／ＢＧテーブルの中から自動的に最適なテーブルを選択し、その際に境目で不連続が発生することの無いよう連続化テーブルから生成された前記係数で決定される比率で前記複数のＵＣＲ／ＢＧテーブルを足し合わせて複数のＵＣＲ／ＢＧテーブルを合成するＵＣＲ／ＢＧ合成回路とを有し、ＵＣＲ／ＢＧ合成回路により合成されたＵＣＲ／ＢＧテーブルを使用して、Ｃ’Ｍ’Ｙ’をＣＭＹＫへと変換することを特徴としている。
【００１３】
請求項２記載の発明のカラー画像記録方法は、入力されたＲＧＢデータをＣ’Ｍ’Ｙ’データへ色変換する色変換工程と、色変換工程により変換されたＣ’Ｍ’Ｙ’データの色空間における位置を各１ドット毎に認識するＣＭＹ値認識工程と、Ｃ’Ｍ’Ｙ’データの色空間の位置に対応してそれぞれを最適化するための複数のＵＣＲ／ＢＧテーブルを作成するＵＣＲ／ＢＧテーブル作成工程と、複数のＵＣＲ／ＢＧテーブルを使い分けることにより境目で発生する不連続性を補正するよう前記Ｃ’Ｍ’Ｙ’データの最大値と最小値の差に対して滑らかに値の変化する係数を生成するテーブルを作成する連続化テーブル作成工程と、ＣＭＹ値認識工程によるＣ’Ｍ’Ｙ’値の認識に基づいて複数のＵＣＲ／ＢＧテーブルの中から自動的に最適なテーブルを選択し、その際に境目で不連続が発生することの無いよう連続化テーブルから生成された前記係数で決定される比率で前記複数のＵＣＲ／ＢＧテーブルを足し合わせて複数のＵＣＲ／ＢＧテーブルを合成するＵＣＲ／ＢＧ合成工程とを有し、ＵＣＲ／ＢＧ合成工程により合成されたＵＣＲ／ＢＧテーブルを使用して、Ｃ’Ｍ’Ｙ’をＣＭＹＫへと変換することを特徴としている。
【００１４】
【発明の実施の形態】
次に、添付図面を参照して本発明によるカラー画像記録装置およびカラー画像記録方法の実施の形態を詳細に説明する。図１〜図６を参照すると本発明のカラー画像記録装置およびカラー画像記録方法の実施形態が示されている。
【００１５】
本発明の第１の実施の形態について図面を参照して詳細に説明する。
図１は、本発明の第１の実施形態の構成例を示すブロック図である。図１を参照して本実施形態について以下に説明する。
【００１６】
図１に示す第１の実施形態のカラー画像記録装置は、色変換回路１、ＣＭＹ値認識回路２、ＵＣＲ／ＢＧ合成回路３、連続化テーブル４、ＵＣＲ／ＢＧテーブル５、６、７を有して構成される。
【００１７】
色変換回路１は、入力機器から入力されたＲＧＢデータをＣ’Ｍ’Ｙ’データへ色変換する回路である。
【００１８】
ＣＭＹ値認識回路２は、色変換回路１により色変換されたＣ’Ｍ’Ｙ’データの色空間における位置を、各々の１ドット毎に認識する回路である。
【００１９】
ＵＣＲ／ＢＧ合成回路３は、ＣＭＹ値認識回路２によるＣ’Ｍ’Ｙ’データ値の認識に基づいて複数のＵＣＲ／ＢＧテーブル５、６、７の中から自動的に最適なテーブルを選択し合成する回路である。
【００２０】
連続化テーブル４は、複数のＵＣＲ／ＢＧテーブル５、６、７を使い分けることにより、境目で発生する不連続性を補正する連続化処理のためのテーブルである。
【００２１】
ＵＣＲ／ＢＧテーブル５、６、７は、Ｃ’Ｍ’Ｙ’データの色空間の位置に対応してそれぞれ最適化するための複数の下色除去（ＵＣＲ）／墨版合成（ＢＧ）テーブルである。
【００２２】
一般的に、入力機器は、モニタ、スキャナ、デジタルカメラ等のように、色空間にＲＧＢ空間を使用しているものが多い。それに対して、プリンタのような出力機器は、色空間にＣＭＹＫ空間を使用している。このため、出力に際して、ＲＧＢデータからＣＭＹＫデータへの色空間の変換を行う必要性が生じる。その際に、色変換にＬＵＴ（ｌｏｇｉｃａｌ  ｕｎｉｔ  ｔａｂｌｅ／理論的装置テーブル）と呼ばれる色変換テーブルを使用して、ＲＧＢデータからＣＭＹＫデータへ直接変換を行う方法も考えられる。しかし、本第１の実施形態においては、より高度な色管理を行うことを目的とし、一度ＲＧＢデータからＣ’Ｍ’Ｙ’データへ変換し、その後、Ｃ’Ｍ’Ｙ’データからＣＭＹＫデータへと変換する手法を採用する。なお、本第１の実施形態においてＲＧＢデータは、各８ビットの階調を有し、０〜２５５までの値を取るものとする。
【００２３】
色変換回路１は、ＲＧＢデータをＣ’Ｍ’Ｙ’データへ変換するための回路を表す。ＲＧＢデータからＣ’Ｍ’Ｙ’データへの変換方法としては、以下に示す単純な補色変換と、ＬＵＴを参照して変換を行う方法が考えられるが、本発明ではどちらか一つの方法に限定されない。
【００２４】
補色変換は、下記式に基づき実行される。
Ｃ’＝１−Ｒ
Ｍ’＝１−Ｇ
Ｙ’＝１−Ｂ
【００２５】
入力のＲＧＢデータは、色変換回路１によりＣ’Ｍ’Ｙ’データへ変換される。変換されたＣ’Ｍ’Ｙ’データは、１ドット毎にＣＭＹ値認識回路２によって、ＣＭＹ空間上のどの位置に存在しているかを判定される。判定を行うために、ＣＭＹ値認識回路２は、以下の値を算出する。
【００２６】
ｋ＝ｍｉｎ（Ｃ’、Ｍ’、Ｙ’）
ａ＝ｍａｘ（Ｃ’、Ｍ’、Ｙ’）−ｍｉｎ（Ｃ’、Ｍ’、Ｙ’）
【００２７】
ここで算出された、「ｋ」は、Ｃ’Ｍ’Ｙ’値と共にＵＣＲ／ＢＧ合成回路３へと送られる。また、「ａ」については、連続化テーブル４へと送られる。これらの値を基にして、ＵＣＲ／ＢＧ合成回路３がＵＣＲ／ＢＧを決定する。
【００２８】
ＵＣＲ／ＢＧを使用して、Ｃ’Ｍ’Ｙ’データをＣＭＹＫデータへ変換するには以下の式を使用する。なお、ＵＣＲ／ＢＧは、テーブルで表されるが、上記の「ｋ」に関する関数と見なすことが出来るため、ＵＣＲ（ｋ）、ＢＧ（ｋ）と表すこととする。
【００２９】
Ｃ＝Ｃ’−ＵＣＲ（ｋ）
Ｍ＝Ｍ’−ＵＣＲ（ｋ）
Ｙ＝Ｙ’−ＵＣＲ（ｋ）
Ｋ＝ＢＧ（ｋ）
【００３０】
なお、ＵＣＲ（ｋ）、ＢＧ（ｋ）は、ＵＣＲ／ＢＧ合成回路３により合成されるが、合成される前のそれぞれにおけるＣ’Ｍ’Ｙ’データ値のＣＭＹ空間上の存在位置毎に、最適化されたＵＣＲ／ＢＧテーブル５、６、７について説明する。
【００３１】
図２は、ＵＣＲ／ＢＧテーブル５の特性の構成例を示す。実際のＵＣＲ／ＢＧテーブルの値は、使用するプリンタ等の出力機器の特性に大きく依存する。このため一概に決めることは出来ない。図２は一般的な例である。ここでは、ＵＣＲ／ＢＧテーブル５は、無彩色領域について最適化されたテーブルを想定している。言い換えると、上記「ａ」の値が小さい場合について最適化されたテーブルとなる。図２では、上記「ｋ」に対して、１００％ＵＣＲ／ＢＧを行うような場合を示している。これは、無彩色領域では、Ｋ版のみで表現されることが望ましいからである。ここで定められるＵＣＲをＵＣＲ１（ｋ）、またＢＧをＢＧ１（ｋ）とする。
【００３２】
図３は、ＵＣＲ／ＢＧテーブル６の構成例を示す。ここに示したＵＣＲ／ＢＧテーブル６は、無彩色と、彩度の高い領域との中間の領域について最適化されたテーブルを想定している。ここで定められるＵＣＲをＵＣＲ２（ｋ）、またＢＧをＢＧ２（ｋ）とする。
【００３３】
図４は、ＵＣＲ／ＢＧテーブル７の構成例を示す。ＵＣＲ／ＢＧテーブル７は、彩度の高い領域について最適化されたテーブルを想定している。図４では、上記「ｋ」に対してのＵＣＲによるＣＭＹ値の除去、およびＢＧによるＫ版の生成へ共に制限を加え、Ｋ版の混入による彩度の低下を防ぐような設定となっている。ここで定められるＵＣＲをＵＣＲ３（ｋ）、およびＢＧをＢＧ３（ｋ）とする。
【００３４】
これら３つのＵＣＲ／ＢＧテーブルは、ＵＣＲ／ＢＧ合成回路３によって合成される。合成する際のアルゴリズムを以下に示す。
【００３５】
ＵＣＲ（ｋ）＝（１−ｂ１）×ＵＣＲ１（ｋ）＋ｂ１×ＵＣＲ２（ｋ）−ｂ２×ＵＣＲ２（ｋ）＋ｂ２×ＵＣＲ３（ｋ）
【００３６】
ＢＧ（ｋ）＝（１−ｂ１）×ＢＧ１（ｋ）＋ｂ１×ＢＧ２（ｋ）−ｂ２×ＢＧ２（ｋ）＋ｂ２×ＢＧ３（ｋ）
【００３７】
ここで、符号ｂ１、ｂ２は、ＣＭＹＫ認識回路２により生成された「ａ」を受け取ることにより、連続化テーブル４が生成する値を意味する。
【００３８】
図５は、連続化テーブル４の具体例を示している。連続化テーブル４は、「ａ」を入力値として、０〜１の値をとるｂ１、ｂ２を生成する。図５を参照すると、「ａ」が小さいとき、即ち無彩色に近い領域の色については、ｂ１、ｂ２共に０となり、「ａ」が大きいとき、即ち彩度の高い領域の色については、ｂ１、ｂ２共に１になることが解る。この値を上記ＵＣＲ（ｋ）、ＢＧ（ｋ）へ適用すると、無彩色に近い領域では、無彩色に最適化されたＵＣＲ／ＢＧであるＵＣＲ１（ｋ）、ＢＧ１（ｋ）が適用され、彩度の高い領域では、彩度の高い色に最適化されたＵＣＲ／ＢＧであるＵＣＲ３（ｋ）、ＢＧ３（ｋ）が適用される。中間色である領域では、ｂ１が１、ｂ２が０になるため、中間色に最適化されたＵＣＲ２（ｋ）、ＢＧ２（ｋ）が適用されることも解る。また、境目については、「ａ」の値により適正にバランスを取った値ｂ１、ｂ２が与えられるため、２つのＵＣＲ／ＢＧテーブルがバランスよく合成でき、境目における不連続性も解消される。
【００３９】
上記ＵＣＲ／ＢＧを使用してＣ’Ｍ’Ｙ’は、ＣＭＹＫへと変換され出力機器によって印刷される。
【００４０】
上記の実施形態によれば、入力機器から入力されたＲＧＢデータをＣ’Ｍ’Ｙ’データへ色変換する色変換回路１を有し、色変換回路１により変換されたＣ’Ｍ’Ｙ’データの色空間における位置を各１ドット毎に認識するＣＭＹ値認識回路２を有し、Ｃ’Ｍ’Ｙ’データの色空間の位置に対応して、それぞれ最適化された複数のＵＣＲ／ＢＧテーブル５、６、７を有し、複数のＵＣＲ／ＢＧテーブルを使い分けることにより、境目で発生する不連続性を補正するためのテーブルである連続化テーブル４を有し、ＣＭＹ値認識回路２によるＣ’Ｍ’Ｙ’値の認識に基づいて、複数のＵＣＲ／ＢＧテーブル５、６、７の中から自動的に最適なテーブルを選択し、その際に境目で不連続が発生することの無いよう連続化テーブル４を利用し、複数のＵＣＲ／ＢＧテーブルを合成するＵＣＲ／ＢＧ合成回路３を有し、ＵＣＲ／ＢＧ合成回路３により合成されたＵＣＲ／ＢＧテーブルを使用して、Ｃ’Ｍ’Ｙ’をＣＭＹＫへと変換する。
【００４１】
色変換回路１により変換されたＣ’Ｍ’Ｙ’データは、ＣＭＹ認識回路２により、各１ドット毎にＣＭＹ色空間における存在位置を判定される。複数のＵＣＲ／ＢＧテーブル５、６、７はＣＭＹ色空間における位置の特性に応じて最適化されている。具体的には、色空間における無彩色の領域に対して最適化されたＵＣＲ／ＢＧテーブル、色空間における彩度の高い領域に対して最適化されたＵＣＲ／ＢＧテーブル等になる。
【００４２】
ＵＣＲ／ＢＧ合成回路３は、ＵＣＲ値認識回路２の判定結果を基準に、複数のＵＣＲ／ＢＧテーブル５、６、７の中から最適なＵＣＲ／ＢＧテーブルを選択する。この結果、無彩色の領域ではＫ版への置き換えを積極的に行うＵＣＲ／ＢＧテーブルが選択され、純粋なグレーに近い印刷結果を実現することが出来、また、彩度の高い領域においては、Ｋ版への置き換えを制限することにより、彩度の高い印刷結果を実現することが出来る。
【００４３】
また、複数のＵＣＲ／ＢＧテーブルを使い分けると境目で不連続が発生することになるが、連続化テーブル４を使用して、ＵＣＲ／ＢＧテーブルを合成することにより、不連続性を補正することが出来る。
【００４４】
次に、本発明の第２の実施形態について、図６を参照して説明する。図６は、第２の実施形態の構成例を示すブロック図である。
【００４５】
図６に示す第２の実施形態のカラー画像記録装置は、連続化テーブル４、ＲＧＢ値認識回路８、ＬＵＴ合成回路９、ＬＵＴ１０、１１、１２を有して構成される。
【００４６】
本第２の実施形態のカラー画像記録装置は、ＲＧＢデータを色変換のＬＵＴを使用して、直接ＣＭＹＫデータへ変換するものである。この場合は、入力信号のＲＧＢデータ値は、ＲＧＢ値認識回路８により、ＲＧＢ空間における存在位置を認識される。この場合、処理手順は下記となる。
【００４７】
ｋ＝ｍｉｎ（Ｒ、Ｇ、Ｂ）
ａ＝ｍａｘ（Ｒ、Ｇ、Ｂ）−ｍｉｎ（Ｒ、Ｇ、Ｂ）
【００４８】
また、この場合、ＬＵＴ１０、１１、１２がＲＧＢ値のそれぞれの特性を考慮した色変換テーブルを示しており、このテーブルが、ＬＵＴ合成回路９により合成される。そのアルゴリズムは下記となる。
【００４９】
ＬＵＴ＝（１−ｂ１）×ＬＵＴ１＋ｂ１×ＬＵＴ２−ｂ２×ＬＵＴ２＋ｂ２×ＬＵＴ３
【００５０】
その結果、ＲＧＢデータの値毎に最適化されたＬＵＴが選択されることになり、ＵＣＲ／ＢＧを最適化した場合と同様の効果を得ることが出来る。
【００５１】
なお、上述の実施形態は本発明の好適な実施の一例である。但し、これに限定されるものではなく、本発明の要旨を逸脱しない範囲内において種々変形実施が可能である。例えば、上記の実施形態では、ＵＣＲ／ＢＧテーブルを３つ有する場合について述べているが、これに限定するものではない。
【００５２】
【発明の効果】
以上の説明より明らかなように、本発明のカラー画像記録装置およびカラー画像記録方法は、入力されたＲＧＢデータをＣ’Ｍ’Ｙ’データへ色変換し、変換されたＣ’Ｍ’Ｙ’データの色空間における位置を各１ドット毎に認識し、Ｃ’Ｍ’Ｙ’データの色空間の位置に対応してそれぞれを最適化するための複数のＵＣＲ／ＢＧテーブルを作成し、複数のＵＣＲ／ＢＧテーブルを使い分けることにより境目で発生する不連続性を補正するための連続化テーブルを作成し、Ｃ’Ｍ’Ｙ’値の認識に基づいて複数のＵＣＲ／ＢＧテーブルの中から自動的に最適なテーブルを選択し、その際に境目で不連続が発生することの無いよう連続化テーブルを利用し、複数のＵＣＲ／ＢＧテーブルを合成し、合成されたＵＣＲ／ＢＧテーブルを使用して、Ｃ’Ｍ’Ｙ’をＣＭＹＫへと変換する。
【００５３】
従って、色空間の領域による、ＵＣＲ／ＢＧ等の特性の差を個別に管理できるため、それぞれについて最適化を行うことが出来、印刷品質が向上する。このため、色再現性が向上する。また、無彩色は、Ｋ版を多用して印刷できるため、自然な色合いが表現でき、また彩度の高い色については、Ｋ版の使用を制限できる。このため、彩度の高い印刷を実現でき、コントラストが向上する。さらに、複数のＵＣＲ／ＢＧを切り替えて使用する際に発生する不連続点を補正し、安定した印刷品質が確保できる。
【図面の簡単な説明】
【図１】本発明のカラー画像記録装置およびカラー画像記録方法の第１の実施形態を示す処理ブロック図である。
【図２】無彩色領域に対して最適化されたＵＣＲ／ＢＧ特性を示す図である。
【図３】中間色領域に対して最適化されたＵＣＲ／ＢＧ特性を示す図である。
【図４】彩度の高い色領域に対して最適化されたＵＣＲ／ＢＧ特性を示す図である。
【図５】連続化テーブルの具体例を示す図である。
【図６】第２の実施形態を示す処理ブロック図である。
【符号の説明】
１    色変換回路
２    ＣＭＹ値認識回路
３    ＵＣＲ／ＢＧ合成回路
４    連続化テーブル
５、６、７    ＵＣＲ／ＢＧテーブル
８    ＲＧＢ値認識回路
９    ＬＵＴ合成回路
１０、１１、１２    ＬＵＴ（ｌｏｇｉｃａｌ  ｕｎｉｔ  ｔａｂｌｅ／理論的装置テーブル）
【図１】
0003623673.tif 000002
【図２】
0003623673.tif 000003
【図３】
0003623673.tif 000004
【図４】
0003623673.tif 000005
【図５】
0003623673.tif 000006
【図６】
0003623673.tif 000007